(57)【要約】【課題】食器洗浄運転の一時停止操作を行った使用者の意に反して、食器洗浄運転が再開されることを防止した食器洗浄機を提供する。【解決手段】運転制御部は、食器洗浄運転が中断された一時停止状態において、スタートスイッチ５１が操作されてから、位置センサ４５により洗浄槽２０が筐体４０内の洗浄位置に収納された洗浄槽セット状態が検知されていない状態から洗浄セット状態が検知された状態に切り替わったときに食器洗浄運転を再開し、前記一時停止状態において、スタートスイッチ５１が操作されることなく、位置センサ４５により洗浄槽セット状態が検知されていない状態から洗浄槽セット状態が検知された状態に切り替わったときには、食器洗浄運転を再開しない。【選択図】  図３
2016093256.tif 000002
【特許請求の範囲】
【請求項１】
食器が収容される洗浄槽と、
前面に開口を有し、該開口を介して、前記洗浄槽が水平方向に出し入れされる筐体と、
前記洗浄槽が前記筐体内の所定の洗浄位置に収納された洗浄槽セット状態を検知する位置検知部と、
前記洗浄槽が前記筐体内の前記洗浄位置に収納されているときに隠蔽される位置に配置され、食器洗浄運転の開始及び一時停止を指示するためのスタートスイッチと、
前記位置検知部により前記洗浄槽セット状態が検知されていない状態で前記スタートスイッチが操作された後、前記位置検知部により前記洗浄槽セット状態が検知されたときに、前記洗浄槽に収容された食器を洗浄する食器洗浄運転を実行し、該食器洗浄運転の実行中に前記位置検知部により前記洗浄槽セット状態が検知されない状態になったときには、前記食器洗浄運転を中断して一時停止状態とする運転制御部とを備えた食器洗浄機において、
前記運転制御部は、前記一時停止状態において、前記スタートスイッチが操作された後に、前記位置検知部により前記洗浄槽セット状態が検知されたときは前記食器洗浄運転を再開し、前記一時停止状態において、前記スタートスイッチが操作されることなく、前記位置検知部により前記洗浄槽セット状態が検知されたときには、前記食器洗浄運転を再開しないことを特徴とする食器洗浄機。
【請求項２】
請求項１に記載の食器洗浄機において、
前記一時停止状態において、前記スタートスイッチが操作されることなく、前記位置検知部により前記洗浄槽セット状態が検知されたときに、報知を行う一時停止報知部を備えたことを特徴とする食器洗浄機。
【発明の詳細な説明】
【技術分野】
【０００１】
本発明は、前面引き出し式の食器洗浄機に関する。
【背景技術】
【０００２】
従来、システムキッチン等に設置される食器洗浄機として、洗浄機本体の前面側（使用者が対面する側）に設けられた開口を介して、食器が収容される洗浄槽を水平方向にスライドさせて出し入れする構成とした、前面引き出し式の食器洗浄機が知られている（例えば、特許文献１参照）。
【０００３】
特許文献１に記載された食器洗浄機においては、システムキッチンとの一体感を向上させると共に、食器洗浄運転中のスイッチの誤操作を防止するために、操作スイッチ（電源スイッチ、設定スイッチ、スタートスイッチ等）が、洗浄槽が収容された状態で隠蔽されるドアの上面に設けられている。また、洗浄槽が収納された状態であることを検知する収納検知部が備えられている。
【０００４】
そして、収納検知部がＯＦＦ（洗浄槽が引き出された状態）であるときに、使用者により電源スイッチが操作され、設定スイッチによって運転コースが選択されて、スタートスイッチが操作された後、収納検知部がＯＮ（洗浄槽が本体内に収納された状態）になったときに、食器洗浄運転を開始する構成になっている。
【０００５】
また、食器洗浄運転中に洗浄槽が引き出されて収納検知部がＯＮからＯＦＦに切り替わったときには、食器洗浄運転を中断して一時停止状態とし、一時停止中に洗浄槽が本体内に収納されて収納検知部がＯＮになれば食器洗浄運転を再開する構成になっている。
【先行技術文献】
【特許文献】
【０００６】
【特許文献１】特開２０１４−１２４２０１号公報
【発明の概要】
【発明が解決しようとする課題】
【０００７】
本願発明者らは、特許文献１に記載された食器洗浄機の構成を採用したときに、使用者にとって不便な場合があることを知見した。すなわち、食器洗浄運転中に、使用者が食器を追加するために洗浄槽を引き出すと、食器洗浄運転が中断されて一時停止状態になるが、使用者が一時停止中にその場を離れたときに、別の使用者が洗浄槽が引き出されていることに気付いて、特に意識することなく洗浄槽を本体内に戻してしまうことが考えられる。
【０００８】
そして、この場合に、特許文献１に記載された構成により食器洗浄運転を再開してしまうと、食器を追加するために食器洗浄運転を中断させた使用者の意に反して、食器洗浄運転が進行してしまうという不都合がある。
【０００９】
本発明はかかる背景に鑑みてなされたものであり、食器洗浄運転の一時停止操作を行った使用者の意に反して、食器洗浄運転が再開されることを防止した食器洗浄機を提供することを目的とする。
【課題を解決するための手段】
【００１０】
本発明は上記目的を達成するためになされたものであり、本発明の食器洗浄機は、
食器が収容される洗浄槽と、
前面に開口を有し、該開口を介して、前記洗浄槽が水平方向に出し入れされる筐体と、
前記洗浄槽が前記筐体内の所定の洗浄位置に収納された洗浄槽セット状態を検知する位置検知部と、
前記洗浄槽が前記筐体内の前記洗浄位置に収納されているときに隠蔽される位置に配置され、食器洗浄運転の開始及び一時停止を指示するためのスタートスイッチと、
前記位置検知部により前記洗浄槽セット状態が検知されていない状態で前記スタートスイッチが操作された後、前記位置検知部により前記洗浄槽セット状態が検知されたときに、前記洗浄槽に収容された食器を洗浄する食器洗浄運転を実行し、該食器洗浄運転の実行中に前記位置検知部により前記洗浄槽セット状態が検知されない状態になったときには、前記食器洗浄運転を中断して一時停止状態とする運転制御部とを備えた食器洗浄機の改良に関する。
【００１１】
そして、前記運転制御部は、前記一時停止状態において、前記スタートスイッチが操作された後に、前記位置検知部により前記洗浄槽セット状態が検知されたときは前記食器洗浄運転を再開し、前記一時停止状態において、前記スタートスイッチが操作されることなく、前記位置検知部により前記洗浄槽セット状態が検知されたときには、前記食器洗浄運転を再開しないことを特徴とする。
【００１２】
かかる本発明によれば、前記スタートスイッチが、前記洗浄槽が前記筐体内の前記洗浄位置に収納されているときに隠蔽される位置に配置されている。そのため、前記運転制御部は、前記位置検知部により前記洗浄槽セット状態が検知されていない状態で前記スタートスイッチが操作された後、前記位置検知部により前記洗浄槽セット状態が検知されたときに、前記洗浄槽に収容された食器を洗浄する食器洗浄運転を実行する。
【００１３】
そして、前記食器洗浄運転の実行中に、使用者が食器を追加するために前記洗浄槽を前記筐体から引き出すと、前記位置検知部により前記洗浄セット状態が検知されない状態になって、前記運転制御部によって前記一時停止状態とされる。
【００１４】
このように前記一時停止状態になっているときに、前記運転制御部は、前記スタートスイッチが操作された後に、前記位置検知部により前記洗浄セット状態が検知されたときは前記食器洗浄運転を再開し、前記スタートスイッチが操作されることなく、前記位置検知部により前記洗浄セット状態が検知されたときには、前記食器洗浄運転を再開しない。そのため、前記洗浄槽を引き出して前記一時停止状態とした使用者とは別の使用者が、前記スタートスイッチを操作することなく前記洗浄槽を前記筐体内に収納したときに、前記一時停止状態とした使用者の意に反して前記食器洗浄運転が再開されることを防止することができる。
【００１５】
また、前記一時停止状態において、前記スタートスイッチが操作されることなく、前記位置検知部により前記洗浄槽セット状態が検知されたときに、報知を行う一時停止報知部を備えたことを特徴とする。
【００１６】
この構成によれば、前記一時停止状態であるときに、前記食器洗浄運転を再開させようとした使用者が、前記スタートスイッチの操作をし忘れて前記洗浄槽を前記筐体内に戻したときに、前記報知によって前記スタートスイッチの操作を促すことができる。そして、これにより、前記スタートスイッチの操作のし忘れによって、前記食器洗浄運転が再開されずに前記一時停止状態が維持されることを防止することができる。
【図面の簡単な説明】
【００１７】
【図１】本実施形態の食器洗浄機の構成を断面により示した説明図。
【図２】図１に示した食器洗浄機の使用態様の説明図。
【図３】図１に示した食器洗浄機の制御ブロック図。
【図４】図１に示した操作パネルの構成図。
【図５】食器洗浄運転の一時停止処理のフローチャート。
【発明を実施するための形態】
【００１８】
本発明の食器洗浄機の実施形態について、図１〜図５を参照して説明する。
【００１９】
図１を参照して、本実施形態の食器洗浄機１は、システムキッチン等の天板（カウンタートップ）ＣＴの下部に備え付けられた前面引き出し式の食器洗浄機であり、筐体４０の開口Ｍを介して洗浄槽２０が水平方向にスライドして出し入れされる。
【００２０】
筐体４０内には、洗浄槽２０に水を供給するための給水管４１、給水管４１を開閉して洗浄槽２０への水の供給と停止を切り替える給水電磁弁４４、洗浄槽２０内の水を排水するための排水管４２、及び、洗浄槽２０が筐体４０の最奥部付近の洗浄位置に収納されていることを検知する位置センサ４５（本発明の位置検知部に相当する）が備えられている。
【００２１】
洗浄槽２０には、Ｗ等の食器を収容した食器かご２１がセットされ、食器に向けて水を噴射する洗浄ノズル２２、洗浄槽２０に貯められた水を加熱するヒータ２３、洗浄槽２０の温度を検出する温度センサ２４、ポンプ２６、及び乾燥ファン２８が備えられている。
【００２２】
ポンプ２６は、正転作動時は洗浄槽２０内の水を洗浄ノズル２２から噴射して循環させ、逆転作動時には洗浄槽２０内の水を残菜フィルタ２５及び排水管４２を介して排出する。乾燥ファン２８は、ヒータ２３を作動させた状態で回転作動することにより、温風を洗浄槽２０内に送出して食器を乾燥させる。乾燥ファン２８により洗浄槽２０内に送出された温風は、洗浄槽２０の上方の通気口ｅから排気される。
【００２３】
洗浄槽２０の貯水部と連通管２７により接続された水位検出槽３０には、洗浄槽２０に所定水位の水が貯められていることを検出するフロート式の水位センサ３１が設けられている。
【００２４】
洗浄槽２０の前端の上面には、使用者により操作される操作部５０が配置されている。操作部５０の詳細については後述する。さらに、洗浄槽２０には、食器洗浄機１の全体的な作動を制御するコントローラ１０が備えられ、洗浄槽２０の前面には、洗浄槽２０を出し入れする際に使用者により把持される取手部６０が設けられている。
【００２５】
次に、図２（ａ）に示したように、洗浄槽２０が筐体４０内の洗浄位置に収納された洗浄槽セット状態であるときは、位置センサ４５がＯＮ（検知状態）になる。それに対して、図２（ｂ）に示したように、洗浄槽２０が筐体４０から引き出されているときには、位置センサ４５がＯＦＦ（非検知状態）になる。
【００２６】
また、操作部５０は洗浄槽２０の前部の天面に設けられているため、図２（ａ）に示した洗浄槽２０が筐体４０に収納された状態では、操作部５０がシステムキッチンの天板ＣＴによって隠蔽される。そのため、使用者は操作部５０の操作及び視認をすることができない。
【００２７】
そこで、食器洗浄機１においては、図２（ｂ）に示した洗浄槽２０が筐体４０から引き出された状態で、使用者が、操作部５０を操作して食器洗浄運転の開始を指示した後に、洗浄槽２０を筐体４０に押し込むことにより、食器洗浄運転が開始される仕様となっている。
【００２８】
次に、図３を参照して、コントローラ１０は、図示しないＣＰＵ、メモリ、インターフェース回路等により構成された電子回路ユニットであり、メモリに保持された食器洗浄機１の制御用プログラムをＣＰＵで実行することにより、一連の食器洗浄運転の処理を実行する運転制御部１１と、食器洗浄運転が中断された一時停止状態であることを報知する一時停止報知部１２として機能する。
【００２９】
コントローラ１０には、温度センサ２４、水位センサ３１、及び位置センサ４５の各検出信号が入力される。また、コントローラ１０から駆動回路７０を介して出力される制御信号により、ヒータ２３、ポンプ２６、給水電磁弁４４、及び乾燥ファン２８の作動が制御される。
【００３０】
さらに、コントローラ１０には、操作部５０のスイッチ５１，５３，５４の操作信号が入力される。また、コントローラ１０から操作部５０に出力される制御信号により、コースＬＥＤ５３ａ〜５３ｅ及び予約ＬＥＤ５４と、ブザー５５の作動が制御される。
【００３１】
操作部５０には、図４に示したように、食器洗浄運転の開始と一時停止を指示するためのスタートスイッチ５１、食器洗浄運転及び槽内洗浄運転のコース（運転工程）を選択するためのコース選択部５２、予約運転を指示するための予約スイッチ５４、及び予約運転が設定されていることを示すための予約ＬＥＤ５４ａが設けられている。
【００３２】
コース選択部５２は、食器洗浄運転及び槽内洗浄運転のコースの切り替えを指示するためのコース選択スイッチ５３と、選択中のコースを示すコースＬＥＤ５３ａ〜５３ｅとを備えている。使用者がコース選択スイッチ５３を操作する度に、選択される食器洗浄運転及び槽内洗浄運転のコースが、「標準コース」→「標準＋乾燥２時間コース」→「標準＋ソフト排気コース」→「標準＋ソフト排気＋乾燥２時間コース」→「念入りコース」→「念入り＋乾燥２時間コース」→「念入り＋ソフト排気コース」→「念入り＋ソフト排気＋乾燥２時間コース」→「乾燥コース」→「槽内洗浄コース」→「標準コース」→ … と順次切り替えられる。
【００３３】
「槽内洗浄コース」は、洗浄槽２０や食器かご２１に付着した石灰質成分等を除去するために、食器用洗剤とは異なる槽内洗浄剤（例えばクエン酸を主成分とする洗剤）を用いて、洗浄槽２０内を洗浄するコースである。「槽内洗浄コース」以外のコースは、洗浄槽２０に収容された食器を洗浄又は乾燥するコースである。
【００３４】
ここで、「標準コース」は、「洗浄工程」→「水すすぎ工程」→「加熱すすぎ工程」→「乾燥工程」を実行する基本的なコースである。「標準＋乾燥２時間コース」は、「標準コース」において、乾燥工程の時間を２時間に変更したコースである。
【００３５】
「標準＋ソフト排気コース」は、「標準コース」において、乾燥工程で通気口ｅから排気される温風の温度を４０℃に抑えるコースである。「念入りコース」は、「標準コース」において、加熱すすぎ工程のすすぎ工程の温度を８０℃にするコースである。「乾燥コース」は、乾燥工程のみを実行するコースである。
【００３６】
「槽内洗浄コース」は、洗浄工程において洗浄水を「標準コース」よりも高温に加温すること以外は、「標準コース」と同様である。
【００３７】
コントローラ１０は、選択されているコースに応じて、コースＬＥＤ５３ａ〜５３ｅ（標準ＬＥＤ５３ａ、念入りＬＥＤ５３ｂ、乾燥ＬＥＤ５３ｃ、槽内洗浄５３ｄ、ソフト排気ＬＥＤ５３ｅ）の点灯と消灯を切り替える。
【００３８】
例えば、「標準コース」が選択されているときには、コントローラ１０は標準ＬＥＤ５３ａのみを点灯して他のＬＥＤ５３ｂ〜５３ｅを消灯する。また、「標準＋乾燥２時間コース」が選択されているときは、コントローラ１０は、標準ＬＥＤ５３ａ及び乾燥ＬＥＤ５４ｃを点灯して、他のＬＥＤ５３ｂ，５３ｄ，５３ｅを消灯する。
【００３９】
コントローラ１０は、食器洗浄機１の設置時等に電源接続部（図示しない）が商用電源に接続されて、電源スイッチ（図示しない）がＯＮ状態とされたときに作動を開始する。コントローラ１０は、洗浄槽２０が筐体４０から引き出されて、位置センサ４５により洗浄セット状態が検知されない状態になったときに、食器洗浄運転の初期選択コースである「標準コース」を設定して標準ＬＥＤ５３ａを点灯する。
【００４０】
コントローラ１０は、洗浄槽２０が引き出されて、ＬＥＤ５３ａ〜５３ｅ，５４ａのいずれが点灯しているときに、使用者によりスタートスイッチ５１が長押し操作されたときには、全てのＬＥＤ５３ａ〜５３ｅ，５４ａを消灯する。このように、全てのＬＥＤ５３ａ〜５３ｅ，５４ａが消灯した状態であるときに、使用者がスイッチ５１，５３，５４のいずれか操作すると、コントローラ１０は、操作に応じてＬＥＤ５３ａ〜５３ｅ，５４ａのいずれかを点灯する。
【００４１】
次に、図５に示したフローチャートに従って、食器洗浄運転が中断された場合の処理について説明する。図５のＳＴＥＰ１〜ＳＴＥＰ５は運転制御部１１による処理であり、ＳＴＥＰ１０〜ＳＴＥＰ１２は一時停止報知部１２による処理である。
【００４２】
運転制御部１１は、洗浄槽２０が筐体４０から引き出された状態でスタートスイッチ５１が操作された後、位置センサ４５がＯＮ（洗浄槽セット状態が検知されている状態）になった時に、コース選択部５２により選択されているコースの食器洗浄運転を開始する。
【００４３】
運転制御部１１は、食器洗浄運転の実行中に、ＳＴＥＰ１で位置センサ４５がＯＮ（洗浄セット状態が検知されている状態）からＯＦＦ（洗浄セット状態が検知されていない状態）に切り替わったか否かを監視する。そして、位置センサ４５がＯＮからＯＦＦに切り替わったとき（食器洗浄運転の実行中に、使用者が洗浄槽２０を筐体４０から引き出したとき）には、ＳＴＥＰ２に進んで食器洗浄運転を中断して一時停止状態とする。
【００４４】
続くＳＴＥＰ３で、運転制御部１１は、スタートスイッチ５１が操作されたか否かを判断する。そして、スタートスイッチ５１が操作されたときはＳＴＥＰ４に進み、スタートスイッチ５１が操作されていないときにはＳＴＥＰ１０に分岐する。
【００４５】
ＳＴＥＰ４で、運転制御部１１は位置センサ４５がＯＮしているか否かを判断する。ＳＴＥＰ３でスタートスイッチ５１がＯＮした後に、ＳＴＥＰ４で位置センサ４５がＯＮしたときには、使用者が、食器洗浄運転を再開させるために、スタートスイッチ５１を操作してから、洗浄槽２０を筐体４０内の洗浄位置まで押し込んだと判断することができる。
【００４６】
そのため、ＳＴＥＰ４で位置センサ４５がＯＮしているときにはＳＴＥＰ５に進み、運転制御部１１は、食器洗浄運転を再開する。一方、ＳＴＥＰ３でスタートスイッチ５１がＯＮしていなければＳＴＥＰ１０に分岐して、運転制御部１１は食器洗浄運転を再開しない。
【００４７】
一時停止報知部１２は、ＳＴＥＰ１０で、位置センサ４５がＯＮしているか否かを判断する。そして、位置センサ４５がＯＦＦであるときはＳＴＥＰ３に戻り、位置センサ４５がＯＮしているときにはＳＴＥＰ１１に進む。
【００４８】
ここで、ＳＴＥＰ３でスタートスイッチ５１が操作されることなく、ＳＴＥＰ１０で位置センサ４５がＯＮしたときには、洗浄槽２０を引き出して食器洗浄運転を中断させた使用者がその場を離れている間に、他の使用者が洗浄槽２０が引き出されていることに気付いて、特に意識することなく反射的に洗浄槽２０を筐体４０内に戻してしまった可能性がある。
【００４９】
そしてこの場合に食器洗浄運転を再開することは、食器洗浄運転を中断させた使用者の意に反する。そこで、運転制御部１１は、食器洗浄運転を再開せずに一時停止状態を維持する。
【００５０】
また、一時停止報知部は、ＳＴＥＰ１１で、ブザー５５を鳴動させて食器洗浄運転の再開が禁止されていることを報知する。この報知は、洗浄槽２０を筐体４０から引き出して食器洗浄運転を中断させた使用者が、スタートスイッチ５１の操作を忘れて洗浄槽２０を筐体４０内に戻したときにも行われるので、使用者にスタートスイッチ５１の操作を促すことができる。
【００５１】
なお、本実施形態では、図５のＳＴＥＰ１０〜ＳＴＥＰ１１の処理により、食器洗浄運転の一時停止中に、スタートスイッチ５１が操作されることなく位置センサ４５がＯＮしたときには、ブザー５５による報知を行ったが、この報知を行わない場合にも本発明の効果を得ることができる。
【符号の説明】
【００５２】
１…食器洗浄機、１０…コントローラ、１１…運転制御部、１２…一時停止報知部、２０…洗浄槽、４０…筐体、４５…位置センサ（位置検知部）、５０…操作部、５１…スタートスイッチ。
【図１】
2016093256.tif 000003
【図２】
2016093256.tif 000004
【図３】
2016093256.tif 000005
【図４】
2016093256.tif 000006
【図５】
2016093256.tif 000007